(57)【要約】【課題】  ＣＤショップにおいて、その場で手にしたＣＤの内容を携帯電話を介して試聴できる店内ＣＤ試聴システムを提供することである。【解決手段】  ＣＤショップ（店舗）２０内において、あるユーザーが店内に展示されている１枚のＣＤを試聴する場合、そのＣＤには当該楽曲が収録されているサイトのアドレスが表示されているシールが貼付されている。ユーザーがこのアドレスを取得して携帯電話利用者端末１０に当該アドレスを認識させる。このアドレスは各楽曲へ直接アクセスできるため、携帯電話利用者端末１０からインターネット１４にアクセスし、その場でそのＣＤに収録されている楽曲を試聴できる。このシステムによれば、ＣＤショップの店内で、そのＣＤを持ち歩くことなく、検索などをすることもなく、その場で直ちに、自ら保有する携帯電話利用者端末１０でそのＣＤを試聴することができる。【特許請求の範囲】
【請求項１】
所定の商品情報を商品毎にＵＲＬを割り振って格納したサーバ装置と、
インターネットへのアクセス機能を搭載した携帯電話と、
商品に貼付され、当該商品に対応する前記ＵＲＬのデータが格納されている前記ＩＣタグと、から構成され、
前記携帯電話は、
前記ＩＣタグに格納されている前記ＵＲＬのデータを取得するＵＲＬ取得手段と、
前記取得手段により取得された前記ＵＲＬへ前記インターネットを介してアクセスするアクセス手段と、
前記アクセス手段によりアクセスされた前記ＵＲＬに格納されている前記所定の商品情報を取得する商品情報取得手段と、
を備えたことを特徴とする商品情報取得システム。
【請求項２】
前記ＵＲＬ取得手段は、前記携帯電話が発する、当該携帯電話の基地局との交信を行うための交信電磁波を動作電力として前記ＩＣタグから発信される、所定の信号を受信することによって前記ＵＲＬのデータを取得することを特徴とする請求項１記載の商品情報取得システム。
【請求項３】
所定の商品情報を商品毎にＵＲＬを割り振って格納したサーバ装置と、インターネットへのアクセス機能を搭載した携帯電話と、商品に貼付され、当該商品に対応する前記ＵＲＬのデータが格納されている前記ＩＣタグと、を備えた商品情報取得システム内での情報の遣り取りに使用する商品情報取得方法であって、
前記ＩＣタグに格納されている前記ＵＲＬのデータを取得する第１ステップと、
前記第１ステップにより取得された前記ＵＲＬへ前記インターネットを介してアクセスする第２ステップと、
前記第２ステップとによりアクセスされた前記ＵＲＬに格納されている前記所定の商品情報を取得する第３ステップと、
を有することを特徴とする商品情報取得方法。
【請求項４】
商品に貼付され、当該商品の商品情報が格納先を示すＵＲＬのデータが格納されている前記ＩＣタグから、インターネットへのアクセス機能を搭載した携帯電話へ、前記ＵＲＬのデータを送信する際に使用するデータ送信方法であって、
前記携帯電話が発する、当該携帯電話の基地局との交信を行うための交信電磁波を受信する第１ステップと、
前記第１ステップにより受信された前記交信電磁波を動作電力として発振回路を起動させる第２ステップと、
前記第２ステップにより起動された前記発振回路を介して前記ＵＲＬのデータを前記携帯電話へ送信する第３ステップと、
を有することを特徴とするデータ送信方法。
【請求項５】
コンパクトディスクに収録された楽曲の試聴用に編集された音楽をコンパクトディスク毎にＵＲＬを割り振って収録した音楽データベースと、
各コンパクトディスクに前記ＵＲＬを表示する表示手段と、
この表示手段に表示されたＵＲＬを取得する機能を備え、インターネットにアクセス可能な携帯電話とからなる携帯電話を利用してコンパクトディスクに収録された楽曲の試聴をするシステムであって、
前記携帯電話が前記ＵＲＬを取得した後、インターネットを介して、前記音楽データベースにアクセスし、当該コンパクトディスクに収録された楽曲の試聴用に編集された音楽を当該携帯電話に送信することを特徴とするコンパクトディスク試聴システム。
【請求項６】
コンパクトディスクに収録された楽曲の試聴用に編集された音楽をコンパクトディスク毎にＵＲＬを割り振って収録した音楽データベースにアクセスするために、当該コンパクトディスクのパッケージに当該ＵＲＬを表示したシールを視覚上認識可能に貼付したことを特徴とするアドレスが表示されているコンパクトディスク。
【請求項７】
所定の商品情報を商品毎にＵＲＬを割り振って格納したサーバ装置と、
インターネットへのアクセス機能を搭載した携帯電話と、
商品に組み込まれ、当該商品に対応する前記ＵＲＬのデータが格納されている前記ＩＣタグと、
から構成され、
前記携帯電話は、
前記ＩＣタグに格納されている前記ＵＲＬのデータを取得するＵＲＬ取得手段と、
前記取得手段により取得された前記ＵＲＬへ前記インターネットを介してアクセスするアクセス手段と、
前記アクセス手段によりアクセスされた前記ＵＲＬに格納されている前記所定の商品情報を取得する商品情報取得手段と、
を備えたことを特徴とする商品情報取得システム。
【請求項８】
所定の商品情報を商品毎にＵＲＬを割り振って格納したサーバ装置と、
商品に組み込まれ、当該商品に対応する前記ＵＲＬのデータが格納されている前記ＩＣタグと、
インターネットへのアクセス機能を搭載した携帯電話と、
前記ＩＣタグに格納されている前記ＵＲＬのデータを取得する、前記携帯電話に装着可能な前記ＩＣタグリーダと、
から構成され、
前記携帯電話は、
前記ＩＣタグリーダにより取得された前記ＵＲＬへ前記インターネットを介してアクセスするアクセス手段と、
前記アクセス手段によりアクセスされた前記ＵＲＬに格納されている前記所定の商品情報を取得する商品情報取得手段と、
を備えたことを特徴とする商品情報取得システム。
【発明の詳細な説明】
【技術分野】
【０００１】  本発明は、商品に関する情報を取得する商品情報取得システム、商品情報取得方法、商品情報が格納先を示すＵＲＬのデータを送信するデータ送信方法、携帯電話を用いて店内でＣＤを試聴するコンパクトディスク試聴システム、およびコンパクトディスクの本体または当該コンパクトディスクに入力されている楽曲を試聴できるサイトのアドレスがパッケージに表示されているコンパクトディスクに関する。
【背景技術】
【０００２】  通常、音楽を楽しもうとするリスナーは、好みの楽曲が収録されたコンパクトディスク（ＣＤ）をショップに出向いて購入し、それを持ち帰って、自宅や乗用車の中で聴くのが一般的である。このようなＣＤを購入しようとする人は、ショップに向かう際に、購入予定の楽曲やアーティストを予め決めている場合もあるが、何か好みに合致する面白いＣＤはないかと店内を歩き回ってあれこれと詮索する者もいる。
このような場合、ＣＤ選択の要素となるのは、ジャケット、タイトル名、およびジャケットケースに巻き付けられた帯に書かれた文言であり、これらを頼りに選択を行っているのが実情である。
そのため、せっかくＣＤを購入しても内容が期待はずれのことも多々あり、結果としてＣＤ全体の売り上げの減少も引き起こし、一方でテレビなどで露出の多いごく一部のアーティストに需要が集中する原因にもなっていた。【０００３】  そこで、多くのショップでは、試聴機を導入してＣＤの購入前に楽曲を試聴できるサービスを提供しているが、現実に試聴できるのは、発売間もない著名アーティストの売れ筋のＣＤが中心であり、聴きたい曲を常に試聴できるものではない。また、他の客が試聴機を使っている場合は、試聴が終わるまで待たざるを得ず、「聴きたい曲を直ぐに聴く」というユーザの真の需要に応えてはいなかった。
また、バーコードリーダーを用いて試聴用の楽曲を提供するシステムとして以下の特許文献に記載された技術がある。
【特許文献１】特開２００２−２５１８４公報
【０００４】  この文献にはショップ内で試聴を希望するＣＤのパッケージに貼付けられたバーコードを店内に設置されたバーコードリーダーで読み取り、当該バーコードに該当する楽曲をデータベースから検索し、それをユーザに提供する技術が開示されている。
【発明の開示】
【発明が解決しようとする課題】
【０００５】  上記特許文献１に記載されたバーコードリーダーを用いて楽曲を特定してユーザに提供する方法では、バーコードリーダーを設置してある場所まで商品（ＣＤ）を持ち運ばなければならず、そこに他の客がいる場合は、待つ必要が生じる。結局、このシステムの利便性は試聴機を用いた場合とあまり変わらないというのが実態である。
一方、近年のインターネットの急速な普及に伴い、パーソナルコンピュータ（ＰＣ）やインターネットにアクセス可能な携帯電話からアクセス可能な音楽サイトも広く利用されるようになってきている。このような音楽サイトは時と場所を選ばず利用できる点で大きな可能性を秘めているが、楽曲を選択する際、アーティスト名、曲名またはジャンルからセレクトせねばならない。このようなサイトでは、膨大な量の楽曲が収録されているため、５０音順にチェックするのも時間がかかり、結局知っているアーティスト、曲名から聴きたい曲を中心に選択することとなる。
また、ＣＤなどの音楽メディアに限らず、商品の購入時に消費者が、商品のパッケージに記載されている情報だけでなく、さらに多くのその商品に関する情報の提供を希望する場合がある。【０００６】  そこで、本発明の第１目的は、商品に関する情報を携帯電話を介して取得することができる商品情報取得システム、または商品情報取得方法を提供することである。
本発明の第２の目的は、例えば、ＵＲＬ等の入力処理などの煩わしい処理を行うことなく、容易に商品に関する情報を取得することができる商品情報取得システム、またはデータ送信方法を提供することである。
本発明の第３の目的は、ＣＤショップにおいて、その場で手にしたＣＤの内容を携帯電話を介して試聴できる店内ＣＤ試聴システムを提供することである。
本発明の第４の目的は、ＣＤのケースにアドレスを表示することで、携帯電話を介して当該ＣＤとその楽曲が収録されているサイトを接続し、その場（店内）でＣＤの試聴を可能とするコンパクトディスクを提供することである。
【課題を解決するための手段】
【０００７】  請求項１記載の発明では、所定の商品情報を商品毎にＵＲＬを割り振って格納したサーバ装置と、インターネットへのアクセス機能を搭載した携帯電話と、商品に貼付され、当該商品に対応する前記ＵＲＬのデータが格納されている前記ＩＣタグと、から構成され、前記携帯電話に、前記ＩＣタグに格納されている前記ＵＲＬのデータを取得するＵＲＬ取得手段と、前記取得手段により取得された前記ＵＲＬへアクセスするアクセス手段と、前記アクセス手段によりアクセスされた前記ＵＲＬに格納されている前記所定の商品情報を取得する商品情報取得手段と、を備えることにより前記第１の目的を達成する。【０００８】  請求項２記載の発明では、請求項１記載の発明において、前記ＵＲＬ取得手段は、前記携帯電話が発する、当該携帯電話の基地局との交信を行うための交信電磁波を動作電力として前記ＩＣタグから発信される、所定の信号を受信することによって前記ＵＲＬのデータを取得することにより前記第２の目的を達成する。【０００９】  請求項３記載の発明では、所定の商品情報を商品毎にＵＲＬを割り振って格納したサーバ装置と、インターネットへのアクセス機能を搭載した携帯電話と、商品に貼付され、当該商品に対応する前記ＵＲＬのデータが格納されている前記ＩＣタグと、を備えた商品情報取得システム内での情報の遣り取りに使用する商品情報取得方法において、前記ＩＣタグに格納されている前記ＵＲＬのデータを取得する第１ステップと、前記第１ステップにより取得された前記ＵＲＬへ前記インターネットを介してアクセスする第２ステップと、前記第２ステップとによりアクセスされた前記ＵＲＬに格納されている前記所定の商品情報を取得する第３ステップと、を有することにより前記第１の目的を達成する。【００１０】  請求項４記載の発明では、商品に貼付され、当該商品の商品情報が格納先を示すＵＲＬのデータが格納されている前記ＩＣタグから、インターネットへのアクセス機能を搭載した携帯電話へ、前記ＵＲＬのデータを送信する際に使用するデータ送信方法において、前記携帯電話が発する、当該携帯電話の基地局との交信を行うための交信電磁波を受信する第１ステップと、前記第１ステップにより受信された前記交信電磁波を動作電力として発振回路を起動させる第２ステップと、前記第２ステップにより起動された前記発振回路を介して前記ＵＲＬのデータを前記携帯電話へ送信する第３ステップと、を有することにより前記第２の目的を達成する。【００１１】  請求項５記載の発明では、コンパクトディスクに収録された楽曲の試聴用に編集された音楽をコンパクトディスク毎にＵＲＬを割り振って収録した音楽データベースと、各コンパクトディスクに前記ＵＲＬを表示する表示手段と、この表示手段に表示されたＵＲＬを取得する機能を備え、インターネットにアクセス可能な携帯電話とからなる携帯電話を利用してコンパクトディスクに収録された楽曲の試聴をするシステムであって、前記携帯電話が前記ＵＲＬを取得した後、インターネットを介して、前記音楽データベースにアクセスし、当該コンパクトディスクに収録された楽曲の試聴用に編集された音楽を当該携帯電話に送信することにより、前記第３の目的を達成する。【��０１２】  請求項６記載の発明では、コンパクトディスクに収録された楽曲の試聴用に編集された音楽をコンパクトディスク毎にＵＲＬを割り振って収録した音楽データベースにアクセスするために、当該コンパクトディスクのパッケージに当該ＵＲＬを表示したシールを視覚上認識可能に貼付したことにより、前記第４の目的を達成する。【００１３】  請求項７記載の発明では、所定の商品情報を商品毎にＵＲＬを割り振って格納したサーバ装置と、インターネットへのアクセス機能を搭載した携帯電話と、商品に組み込まれ、当該商品に対応する前記ＵＲＬのデータが格納されている前記ＩＣタグと、から構成され、前記携帯電話は、前記ＩＣタグに格納されている前記ＵＲＬのデータを取得するＵＲＬ取得手段と、前記取得手段により取得された前記ＵＲＬへ前記インターネットを介してアクセスするアクセス手段と、前記アクセス手段によりアクセスされた前記ＵＲＬに格納されている前記所定の商品情報を取得する商品情報取得手段と、を備えることにより、前記第１の目的を達成する。【００１４】  請求項８記載の発明では、所定の商品情報を商品毎にＵＲＬを割り振って格納したサーバ装置と、商品に組み込まれ、当該商品に対応する前記ＵＲＬのデータが格納されている前記ＩＣタグと、インターネットへのアクセス機能を搭載した携帯電話と、前記ＩＣタグに格納されている前記ＵＲＬのデータを取得する、前記携帯電話に装着可能な前記ＩＣタグリーダと、から構成され、前記携帯電話は、前記ＩＣタグリーダにより取得された前記ＵＲＬへ前記インターネットを介してアクセスするアクセス手段と、前記アクセス手段によりアクセスされた前記ＵＲＬに格納されている前記所定の商品情報を取得する商品情報取得手段と、を備えることにより前記第１の目的を達成する。
【発明の効果】
【００１５】  請求項１、請求項３、請求項７または請求項８記載の発明によれば、商品を購入しようとした消費者が、店内で自ら保有する携帯電話で直ぐに商品に関する情報を取得することができる。
請求項２または請求項４記載の発明によれば、ＩＣタグからＵＲＬデータが送信されることにより、商品に関する情報を取得する際に必要となるＵＲＬの入力処理を容易に行うことができる。
請求項５記載の発明によれば、コンパクトディスクを購入しようとした消費者が、ＣＤショップ店内で、自ら保有する携帯電話で直ぐに試聴することができる。
請求項６記載の発明によれば、コンパクトディスクを購入しようとした消費者に対し、携帯電話で当該コンパクトディスクに収録された楽曲を試聴するためのサイトを提示することができる。
【発明を実施するための最良の形態】
【００１６】  以下、本発明の好適な実施の形態を図１ないし図１９を参照して、詳細に説明する。
（第１実施形態）
図１は、本実施の形態に係る携帯電話を用いて店内でＣＤを試聴するシステムの構成を示した図である。
このシステムは、インターネットへのアクセス機能を備えた携帯電話利用者端末１０と、携帯電話回線網１２と、携帯電話事業者設備１３と、インターネット１４と、音楽データ配信端末１５とからなる。まず、携帯電話利用者端末１０は、インターネット１４にアクセス可能な携帯電話からなり、無線回線を経て携帯電話回線網１２に接続される。この携帯電話回線網１２は、各々の無線回線を介して、複数の携帯電話利用者端末１０と携帯電話事業者設備１３とを接続している。【００１７】  この携帯電話事業者設備１３は、各々の無線回線を介して複数の携帯電話利用者端末１０相互に接続すると同時に携帯電話利用者端末１０とインターネット１４との接続を行う。そして、このインターネット１４は、携帯電話事業者設備１３および音楽データ配信端末１５を含む多数の端末を相互に接続する。
音楽データ配信端末１５は、音楽データベース５１を備えており、携帯電話事業者設備１３を含む複数の携帯電話利用者端末１０に対し、インターネット１４を介して音楽データを配信する。【００１８】  図２は、携帯電話利用者端末１０の外観を示した図である。携帯電話利用者端末１０は、インターネット１４にアクセスする機能を備えている。
図３は、音楽データ配信端末１５の構成を示したブロック図である。
この音楽データ配信端末１５は、音楽データベース５１、インターネット通信部５３、制御部５５を備えている。
この音楽データ配信端末１５は、独自のＵＲＬを備えているが、その下層として音楽データベース５１に収録されている多数の楽曲のそれぞれにＵＲＬが割り振られており、携帯電話利用者端末１０からインターネット１４を介してアクセスされた場合、当該音楽サイトだけでなく、そこに収録されている各楽曲へ直接アクセスできるようになっている。
図４は、このシステムで用いる、当該音楽を試聴するためのＵＲＬが記載されたシール６２がパッケージ６０に貼付されているコンパクトディスク（ＣＤ）の例を示した図である。【００１９】  図５は、このシステムで用いる、当該音楽を試聴するためのＵＲＬが直接パッケージ６０に記載されたコンパクトディスク（ＣＤ）の例を示した図である。
シールを貼る位置、またはＵＲＬを記載する位置は、消費者の視覚上認識可能な位置であれば、ケースの背面でも側面でもよい。しかし、購入前の試聴を前提としているので、パッケージを開封しないと見えない位置に記載したのでは意味がない。【００２０】  次に、このシステムの処理手順を説明する。
まず、ＣＤショップ（店舗）２０内において、あるユーザが店内に展示されている１枚のＣＤに興味を持ち、一度試聴してみたいと考えたとする。すると、そのＣＤには当該楽曲が収録されているサイトのアドレスが表示されているシール（図４参照）が貼付されている。ユーザがこのアドレスを取得して携帯電話利用者端末１０に当該アドレスを認識させる。このアドレスは各楽曲へ直接アクセスできるため、携帯電話利用者端末１０からインターネット１４にアクセスし、その場でそのＣＤに収録されている楽曲を試聴できる。このシステムによれば、ＣＤショップの店内で、そのＣＤを持ち歩くことなく、他の客の順番待ちをする必要もなく、特に検索などをすることもなく、その場で直ちに、自ら保有する携帯電話利用者端末１０でそのＣＤを試聴することができる。【００２１】  携帯電話利用者端末１０がＣＤのパッケージ（ケース）に貼付されたシール６２からアドレスを取得する方法は種々の方法が可能であるが、その一例としてシール内にチップを埋め込み、このチップが至近距離（例えば５ｃｍ）に近づけた携帯電話利用者端末１０にパケットの通信を発信する方法がある。
他の方法として、携帯電話利用者端末１０に備えられたカメラ機能を用いてシール６２上のアドレスを取得し、文字認識機能を使用してアドレスを携帯電話利用者端末１０に認識させることもできる。【００２２】  なお、このシステムは、ＣＤの試聴を中心に説明したが、他の商品にも応用可能である。例えば、薬品やサプリメントの効能や使用上の注意を所定のサイトに用意しておき（画像を含むものも可）、商品のパッケージにそのサイトのアドレスを記載しておけば、その商品の購入を検討していた消費者は、携帯電話利用者端末１０を介して、その商品の効能等を認識したうえで購入するか否かの判断をすることができる。特に、サプリメントなどは薬剤師も必ずしも詳しい知識を持っているとは限らず、さらに、コンビニエンスストアなどで販売される場合には有効であると考えられる。
また、このシステムを利用すれば、目の不自由な人にも大きな助けとなることが予想できる。即ち、携帯電話利用者端末１０でそのＣＤの音楽、商品の説明を聞くことができれば、自らの判断で商品をセレクトすることができる。
さらに、このシステムは、ショップ内に限らず他の場所でＣＤの試聴もできることは勿論である。例えば、ＵＲＬを取得できれば、自宅から当該ＣＤを試聴することができる。この場合、ＰＣ（パーソナルコンピュータ）を利用して、サイトにアクセスすることもできる。【００２３】（第２実施形態）
次に、上述した第１実施形態において説明した携帯電話利用者端末１０がＣＤのパッケージ（ケース）に貼付されたシール６２からアドレスを取得する方法の一例として、シール６２にＩＣチップを内蔵したＩＣタグ７２を用いた場合における商品７１の情報を取得するシステムについて説明する。
図６は、本実施の形態に係る商品７１の情報取得システム（以下情報取得システムとする）の構成を示した図である。
図６に示すように情報取得システムは、ＩＣタグ７２、携帯電話利用者端末７３、携帯電話利用者端末７３の基地局７４、携帯電話利用者端末７３の交換局７５、ネットワーク網７６、Ｗｅｂサーバ７９から構成されている。【００２４】  ＩＣタグ７２は、販売店内に置かれている商品７１のパッケージに貼付されているシール状の識別タグである。商品７１としては、例えば、コンパクトディスク（ＣＤ）、デジタル多用途ディスク（ＤＶＤ）、ビデオテープ、薬品、サプリメント等が想定されている。また、商品７１は、このような実際の物に限られるものではなく、例えば、旅行ツアーのパンフレットや不動産広告等を商品７１と想定するようにしてもよい。なお、ＩＣタグ７２の詳細の構成については後述する。なお、このＩＣタグ７２は、盗難防止タグと兼用するようにしてもよい。
携帯電話利用者端末７３は、インターネット等のネットワーク網７６へ接続する機能を有する移動通信端末装置である。なお、携帯電話利用者端末７３の詳細の構成については後述する。【００２５】  基地局７４は、携帯電話利用者端末７３の接続を制御する無線局である。基地局７４は、電話網の末端にある交換局７５と有線回線で接続されており、無線集線装置を構成している。基地局７４には、割り当て可能なアクセス回線のチャネル数が設定されている。そのため、基地局７４では、ユーザからの接続要求に応じて、空いているチャネルを割り当て、多重アクセス制御を実行している。
交換局７５は、各々の無線回線を介して複数の携帯電話利用者端末７３を相互に接続すると同時に携帯電話利用者端末７３とネットワーク網７６との接続を行う携帯電話事業者設備である。つまり、交換局７５は、ネットワーク網７６に接続するためのネットワーク・プロバイダの機能を有している。【００２６】  ネットワーク網７６は、インターネットなどのネットワークによって構成されている。ネットワーク網７６上では、電子メールのやり取りのほか、ＷＷＷと呼ばれる情報発信用のシステムによるホームページの公開や、ニュースグループによる情報交換、ＦＴＰ（Ｆｉｌｅ  Ｔｒａｎｓｆｅｒ  Ｐｒｏｔｏｃｏｌ）によるファイルの配信などが可能となっている。
Ｗｅｂサーバ７９は、ネットワーク網７６上に設けられた商品７１の情報を提供する端末装置である。Ｗｅｂサーバ７９は、商品７１の情報の格納先の場所（ＵＲＬ）を示すＷｅｂサイト７７と、該当するＷｅｂサイト７７上に設けられたコンテンツサーバ７８を有している。
即ち、携帯電話利用者端末７３は、所定のＷｅｂサイト７７へアクセスすることによって、コンテンツサーバ７８からコンテンツを取得することができるようになっている。【００２７】  次に、ＩＣタグ７２の詳細な構成について説明する。
図７は、本実施の形態に係るＩＣタグ７２の構成を示した図である。
図７に示すようにＩＣタグ７２は、アンテナ７２１、整流回路７２３、蓄電回路７２４、発振回路７２５、メモリ７２６から構成されている。なお、整流回路７２３、蓄電回路７２４、発振回路７２５およびメモリ７２６は、１つのＩＣチップ７２２に内蔵されている。【００２８】  アンテナ７２１は、渦巻き状に形成されたワイヤあるいはプリント配線によって形成された電磁波を送受信する装置である。アンテナ７２１は、外部から電磁波を受信すると電磁誘導の原理によって交流電流を発生するようになっている。
整流回路７２３は、アンテナ７２１で発生した交流電流を整流する回路であり、ダイオードなどの整流素子によって構成されている。
蓄電回路７２４は、整流回路７２３によって整流された電流を蓄電する回路であり、コンデンサや電池などの蓄電素子によって構成されている。【００２９】  発振回路７２５は、無線周波数の電磁波を発生させる発振器と、メモリ７２６内のデータ信号を電磁波にのせ、無線によって携帯電話利用者端末７３へ送信する送信回路から構成されている。
メモリ７２６は、商品７１に関する所定のデータが格納された記憶装置である。メモリ７２６は、例えば、ＲＯＭ（リード・オンリ・メモリ）、マスクＲＯＭ、ＥＰＲＯＭ、ＥＥＰＲＯＭ等によって構成されている。メモリ７２６には、商品７１に関するデータ（情報）として、例えば、商品７１の説明等のコンテンツが格納されているサーバのＵＲＬデータ、商品７１の説明等の音声データが格納された端末装置の電話番号、また、商品７１の販売担当者の電子メールアドレス等が格納（記憶）されている。
なお、ＩＣタグ７２における無線送信、つまりメモリ７２６内のデータを携帯電話利用者端末７３へ転送する無線送信に関する無線について、以下特定無線と示す。【００３０】  次に、携帯電話利用者端末７３の詳細な構成について説明する。
図８は、本実施の形態に係る携帯電話利用者端末７３の構成を示した図である。
図８に示すように携帯電話利用者端末７３は、入力キー７３１、マイク７３２、アンテナ７３３、無線回路７３４、ＣＰＵ７３５、メモリ７３６、スピーカ７３７、ディスプレイ７３８、特定無線受信ユニット７３９から構成されている。【００３１】  入力キー７３１は、ダイヤルキー、マルチファンクションキー、方向キー等からなる入力装置であり、これらのキーを用いて、文字や数字を入力することができるようになっている。
マイク７３２は、音声を入力するための入力装置であり、入力された音声は、電気信号に変換され処理されるようになっている。
アンテナ７３３は、基地局７４との間で無線通信を行う際に電磁波を送受信するための装置である。
無線回路７３４は、基地局７４との間で無線通信を行うための無線信号を発信する回路である。【００３２】  ＣＰＵ７３５は、マイクロコンピュータを主体とする、携帯電話利用者端末７３としての動作をさせるプログラムを実行する演算処理装置である。ＣＰＵ７３５は、周辺装置を制御してデータを受け取り、そのデータを演算・加工し、メモリ７３６に記憶したり結果を出力したりするまでの一連の動作を行う。
メモリ７３６は、携帯電話利用者端末７３で使用されるデータやプログラムを記憶し、必要な場合に取り出すことのできる記憶装置である。メモリ７３６は、読み書き可能であるＲＡＭと、読み込み専用であるＲＯＭによって構成されている。ＲＡＭは、ＣＰＵ７３５の作業領域であり、ＣＵＰ７３５が演算処理を実行する際に必要なデータを一時的に格納する。ＲＯＭには、ＣＰＵ７３５が処理する各種プログラムが格納されている。例えば、特定無線受信プログラム、メモ保存プログラム、通話プログラム、録音プログラムなどのプログラムが格納されている。【００３３】  スピーカ７３７は、電気信号を音声に変換して出力する音声出力装置であり、通話時における相手先の音声や、着信音、各種警告音（アラーム音）等を出力する。
ディスプレイ７３８は、携帯電話利用者端末７３内で処理された文字や図形、イメージなどの結果を表示するための出力装置であり、例えば、液晶ディスプレイなどによって構成されている。
特定無線受信ユニット７３９は、特定無線つまりＩＣタグ７２間における無線を介してデータ（信号）の受信を行う装置である。特定無線受信ユニット７３９は、受信部７４０および復号部７４１から構成されている。受信部７４０では、ＩＣタグ７２から発信された信号の受信を行う。復号部７４１では、受信部７４０で受信した、即ちＩＣタグ７２から発信された信号の復号処理を行う。特定無線受信ユニット７３９を設けることにより、商品７１に関するデータをＩＣタグ７２から特定無線を介して取得することが可能になる。【００３４】  次に、このように構成された情報取得システムにおける、商品７１の情報を取得する処理手順について説明する。
図９は、本実施の形態に係る情報取得システムにおける、商品７１の情報を取得する処理の手順を示したフローチャートである。
ここでは、情報取得システムの利用方法の一例として、販売店においてサプリメントの購入を検討しているユーザが、当該サプリメントの詳細情報を取得する場合について説明する。【００３５】  まず、ユーザは、購入を検討している商品７１（サプリメント）を棚から取り出し、その商品７１に貼付されているＩＣタグ７２を携帯電話利用者端末７３に近づける。ここでは、両者が接触するまで近づけられることが理想的である。
図１０は、ＩＣタグ７２と携帯電話利用者端末７３との配置状況を示した図である。
図１０に示すように、携帯電話利用者端末７３の背面側つまり特定無線受信ユニット７３９をＩＣタグ７２と対向するように配置する。ＩＣタグ７２から送信される信号を受信可能な範囲つまり対象物との距離αが予め設定されている。この距離αは、ＩＣタグ７２に設けられている発振回路７２５の出力容量を調節することによって任意に設定することができるようになっている。【００３６】  なお、他のユーザの所持する携帯電話利用者端末７３において、ＩＣタグ７２から送信される信号が受信されてしまわないようにするために、つまり、信号の誤送信および誤受信を抑制するために、距離αは、概ね最大５ｃｍに設定されている。
さらに信号の誤送信および誤受信を抑制するために、ＩＣタグ７２に特定無線受信ユニット７３９を検出する機能とカウンタ機能を設け、所定の期間（例えば、１秒、２秒）連続して特定無線受信ユニット７３９を検出することができた場合にのみ信号を送信するようにしてもよい。
また、信号の誤受信を規制するために、携帯電話利用者端末７３にＩＣタグ７２から送信される信号を拒否する特定無線受信拒否機能や、特定無線受信機能をオン／オフさせることが可能な特定無線受信切替機能を搭載するようにしてもよい。【００３７】  ＩＣタグ７２と携帯電話利用者端末７３との間隔が距離αよりも小さくなる位置まで両者が近づけられると、ＩＣタグ７２は、携帯電話利用者端末７３から発せられる電磁波（以下、交信電磁波とする）をアンテナ７２１を介して受信する（ステップ１１）。
ここで、携帯電話利用者端末７３から発せられる交信電磁波について説明する。携帯電話利用者端末７３は、待ち受け時（非通話時）においても常に、基地局７４との間で交信を行っている。そして、携帯電話利用者端末７３が存在するエリアやその地点における電界強度の測定を行っている。このような基地局７４との交信に、交信電磁波が用いられている。従って、たとえ携帯電話利用者端末７３が、利用範囲外エリア（圏外）に存在している場合であっても交信電磁波は、常時、携帯電話利用者端末７３から発せられている。【００３８】  ＩＣタグ７２は、携帯電話利用者端末７３の交信電磁波を受信すると、アンテナ７２１を形成するコイルを貫く磁束が変化するため、電磁誘導の原理によって交流電流が発生する。
ＩＣタグ７２は、発生した交流電流を整流回路７２３に流して整流を行う（ステップ１２）。
続いて、ＩＣタグ７２は、整流回路７２３で整流された電流を蓄電回路７２４に蓄電する（ステップ１３）。
そして、ＩＣタグ７２は、蓄電回路７２４に発振回路７２５の起動電圧値を超える電荷が蓄電されると、発振回路７２５が起動し、メモリ７２６に格納されたデータを信号に変換した後、アンテナ７２１を介して携帯電話利用者端末７３へ送信する（ステップ１４）。【００３９】  そして、ＩＣタグ７２から信号が送信されると、携帯電話利用者端末７３は、特定無線受信ユニット７３９の受信部７４０でこの信号を受信する（ステップ１５）。
携帯電話利用者端末７３は、受信部７４０で信号を受信したことを検知すると、メモリ７３６に格納されている特定無線受信プログラムを起動する（ステップ１６）。ＣＰＵ７３５は、特定無線受信プログラムに基づいて処理を実行する。
まず、受信部７４０で受信した信号を復号部７４１へ転送し、復号部７４１においてテキストデータに変換（復号）する。変換された後のテキストデータ、つまり商品７１に関する所定のデータをメモリ７３６に格納する。【００４０】  次に、ＣＰＵ７３５は、商品７１に関する所定のデータをメモリ７３６から読み出し、ディスプレイ７３８に表示させる（ステップ１７）。
図１１は、商品７１に関する所定のデータを表示させた、ディスプレイ７３８の表示画面の一例を示した図である。
図１１に示すように、ディスプレイ７３８には、商品７１の商品名と共に、商品７１の説明のコンテンツが格納されているコンテンツサーバ７８（図６）のＵＲＬデータが表示されるようになっている。なお、サーバのＵＲＬデータは、図の反転部に示すように、ディスプレイ７３８上で選択し実行（アクセス）することができるようになっている。ＵＲＬデータ選択は、入力キー７３１の方向キーを操作することで行うことができる。
また、選択項目が単数である場合には、ディスプレイ７３８への表示と同時に、あるいは、ディスプレイ７３８への表示を実行せずに、直接該当するサーバのＵＲＬにアクセスするようにしてもよい。【００４１】  ユーザがサーバのＵＲＬデータを選択し、そのＵＲＬへのアクセスが実行されると、または、自動的にＵＲＬへのアクセスが実行されると、上述した基地局７４、交換局７５を介してネットワーク網７６に接続され、そして該当するＷｅｂサイト７７にアクセスする（ステップ１８）。
Ｗｅｂサーバ７９は、携帯電話利用者端末７３からのＷｅｂサイト７７へのアクセスを検知すると、該当するコンテンツサーバ７８からコンテンツデータを読み出し、これを携帯電話利用者端末７３へ配信する。
携帯電話利用者端末７３は、Ｗｅｂサーバ７９から配信されたコンテンツデータをダウンロードする（ステップ１９）。
携帯電話利用者端末７３におけるコンテンツデータのダウンロードが完了した後、商品７１の情報を取得する処理を終了する。
なお、ここでは、Ｗｅｂサーバ７９からダウンロード方式でコンテンツデータ（商品７１に関する情報）を取得するようにしているが、ストリーミング方式でコンテンツデータを取得するようにしてもよい。
また、ＩＣタグ７２においても第１実施例で示したシール６２と同様に、商品７１に関する情報の格納場所を示すＵＲＬを記載するようにしてもよい。【００４２】  コンテンツデータのダウンロードが完了すると、この取得した（提供された）コンテンツデータに基づいて商品７１の説明が携帯電話利用者端末７３から出力される。商品７１（サプリメント）の説明の出力方法としては、当該サプリメントの効能、使用上の注意、副作用等の解説文を、ディスプレイ７３８に表示させたり、またスピーカ７３７から音声として出力させたり等の方法がある。
また、商品７１がＣＤ、ＤＶＤ、ビデオ等である場合には、商品７１に記憶されている楽曲（映像）の試聴データをコンテンツデータとして取得し、携帯電話利用者端末７３のスピーカ７３７を試聴機とするようにしてもよい。さらに、当該商品７１に関係するアーティストやＰＲコメントをディスプレイ７３８に表示させたり、プロモーション映像を表示させたりするようにしてもよい。【００４３】  上述したような情報取得システムによれば、携帯電話利用者端末７３は、商品７１に関す情報を取得する際に、商品７１に関する情報の格納場所を示すＵＲＬ（または電話番号）を特定無線を介してＩＣタグ７２から取得することができる。そのため、ユーザは、ＵＲＬ（または電話番号）の入力処理などといった煩わしい処理を行わずに該当するＵＲＬへアクセスすることができる。また、これによりＵＲＬの誤入力を抑制することができる。【００４４】（変形例）
次に、上述した第２実施形態に係る情報取得システムの利用方法の変形例について説明する。
ここでは、情報取得システムの変形の一例として、ＩＣタグ７２を商品７１の代わりに名刺の裏面に貼付した場合について説明する。
図１２（ａ）は、ＩＣタグ７２を貼付した名刺の表面を示した図であり、（ｂ）は、ＩＣタグ７２を貼付した名刺の裏面を示した図である。
図１２（ａ）に示すように、ＩＣタグ７２を貼付した名刺の表面には、通常の名刺と同様に、会社名、部署名、役職名、氏名、住所、電話番号、電子メールアドレス、ホームページＵＲＬを記載する。
さらに、当該名刺にＩＣタグ７２が貼付されていることをユーザに対して視覚的に認識させるために、「※特定無線送信対応」（波線部）等のコメントを記載しておくようにする。【００４５】  図１２（ｂ）に示すように、名刺の裏面には、ＩＣタグ７２を任意の箇所に貼付する。さらに、ＩＣタグ７２の利用方法に関する取扱説明を記載しておくようにする。
また、ＩＣタグ７２のメモリ７２６（図７）には、名刺の表面の記載内容と同様の個人データ（名刺データ）を格納しておく。
そして、上述した本実施の形態に係る情報取得システムにおける、商品７１の情報を取得する処理の手順（図９）と同様の処理を行う。
ＩＣタグ７２を貼付した名刺に携帯電話利用者端末７３を近づけ、ＩＣタグ７２のメモリ７２６に格納されている名刺データを特定無線を介して携帯電話利用者端末７３に入力する。【００４６】  そして、携帯電話利用者端末７３に入力された名刺データをディスプレイ７３８上に表示する。
図１３は、名刺データを表示させた、ディスプレイ７３８の表示画面の一例を示した図である。
図１３に示すようにディスプレイ７３８には、名刺データ、例えば、氏名、電話番号、電子メールアドレス、ホームページＵＲＬのデータが表示されるようになっている。なお、電話番号、電子メールアドレス、ホームページＵＲＬのデータは、図の反転部に示すように、ディスプレイ７３８上で選択し実行（アクセス）することができるようになっている。データの選択は、入力キー７３１の方向キーを操作することで行うことができる。【００４７】  例えば、電話番号が選択され実行されると、通話プログラムが起動されて当該電話番号へのダイヤル（呼び出し処理）が開始されるようになっている。また、電子メールアドレスが選択され実行されると、電子メール作成プログラムが起動され、所定の宛先入力欄に当該電子メールアドレスが入力されるようになっている。
また、アドレス管理プラグラムを起動させることによって、携帯電話利用者端末７３に入力された名刺データを、携帯電話利用者端末７３のメモリ７３６に格納されているアドレス帳に追加させるようにしてもよい。
このようにＩＣタグ７２を名刺に貼付することによって、携帯電話利用者端末７３は、名刺に記載されている内容と同様の名刺データを、特定無線を介してＩＣタグ７２から取得することができる。そのため、ユーザは、名刺に記載されている各データ（電話番号、電子メールアドレス等）の入力処理などといった煩わしい処理を行わずに携帯電話利用者端末７３のアドレス帳へ入力することができる。【００４８】（第３実施形態）
次に、本発明における第３実施形態について説明する。
第３実施形態では、非接触型ＩＣタグを利用した音楽ＣＤ、ＤＶＤの試聴システムおよび携帯端末装置１０２の抑制システムについて説明する。なお、非正規商品（海賊版）とは、著作権者に無断で複製した商品を示す。
図１４は、本実施の形態に係るＩＣタグを用いて商品に格納されたコンテンツの試聴および商品の正規登録を実施するシステムの構成を示した図である。
ここでは、ＣＤ、ＤＶＤなどの商品に格納されたコンテンツの試聴および商品の正規登録を実施するシステム（以下、コンテンツ試聴・登録システムとする）について説明する。【００４９】  図１４に示すように、本実施の形態に係るコンテンツ試聴・登録システムは、コンテンツメーカサイト１００、サーバ１０１、携帯端末装置１０２、ＰＣ（パーソナル・コンピュータ）１０５、商品１０７から構成されている。
商品１０７は、ＣＤ、ＤＶＤなどのメディアにコンテンツが格納されたものであり、さらに、商品１０７にはＩＣタグ１０８が組み込まれている。
ＩＣタグ１０８は、第２実施形態（図７）で説明したＩＣタグ７２と同様の構成であるため詳細な説明は省略する。
ＩＣタグ１０８は、商品１０７のパッケージ（ケース）に貼付するシールに組み込むようにしてもよく、ＩＣタグ１０８をシルク印刷（スクリーン印刷）でシール化したものを商品１０７のパッケージに貼付するようにしてもよい。
また、ＩＣタグ１０８は、商品１０７に直接組み込むようにしてもよい。【００５０】  図１５は、ＩＣタグ１０８の商品１０７への組み込み例を示した図である。
図１５に示すように、例えば、ＣＤやＤＶＤなどの光ディスクを用いた商品１０７は、ポリカーボネートなどの樹脂で形成された樹脂領域１０９と、アルミニウムなどで形成されたデータを記録する記録層（反射膜領域）１１０と、から構成されている。
このように構成されている光ディスクを用いた商品１０７では、データの記録に用いられていない樹脂領域１０９にＩＣタグ１０８を配設することによって、直接商品１０７にＩＣタグ１０８を内蔵させることができる。詳しくは、図１５に示すように、光ディスク盤面のセンター部（中心部）の樹脂領域１０９に組み込む。
このように、ＩＣタグ１０８を直接光ディスクを用いた商品１０７に組み込むことにより、ＩＣタグ１０８の誤貼付や紛失を抑制することができるため、商品１０７とＩＣタグ１０８との関連付け（紐付け）が確実となる。
また、ＩＣタグ１０８を商品１０７に直接組込むことにより、複製品の製造を困難にすることができるため、非正規商品（海賊版）の市場への流出を適切に抑制することができる。【００５１】  図１４に戻り、本実施の形態に係るコンテンツ試聴・登録システムにおけるコンテンツメーカサイト１００（サーバ１０１含む）、携帯端末装置１０２、ＰＣ１０５はインターネット１０６を介して、各種データの送受信が可能である。
コンテンツメーカサイト１００は、商品１０７の製造、販売（提供）を行う業者が運営するサービスサイトであり、アクセス要求に基づいてサーバ１０１に格納されているデータの配信などのサービスを提供する。
サーバ１０１は、コンテンツメーカサイト１００が提供するサービスに関するデータを格納したコンピュータであり、例えば、コンテンツのプロモーション用の音声データや画像データ、試聴用データ、売れ筋商品ランキングデータ、発売予定商品に関するデータ等が格納されている。
また、サーバ１０１には、正規登録処理を実施する際に必要となる、製造済み（発売済み）商品に組み込まれているＩＣタグ１０８に関するデータが格納されている。ＩＣタグ１０８に格納されているデータとしては、例えば、正規品であることを示すＩＤ（識別子）データなどがある。【００５２】  携帯端末装置１０２は、携帯電話１０３と、この携帯電話１０３接続されるＩＣタグリーダ１０４から構成されている。
携帯電話１０３は、インターネット１０６への接続機能を有している。詳しくは、この携帯電話１０３は、前述した第１実施形態で用いられる携帯電話利用者端末１０と同様に、無線回線を経て携帯電話回線網に接続した後、各々の無線回線を介して、携帯電話事業者設備とを接続される。そして、この携帯電話事業者設備を介して、インターネット１０６に接続されるようになっている。
ＩＣタグリーダ１０４は、携帯電話１０３と着脱可能なスティック形状のＩＣタグ１０８の読取装置である。このＩＣタグリーダ１０４は、第２実施形態で用いた携帯電話利用者端末７３に内蔵されている特定無線受信ユニット７３９と同様の機能を備えている。
そのため、第３実施形態では、特定無線受信ユニット７３９を備えていない携帯電話１０３であっても、ＩＣタグリーダ１０４を用いることによりＩＣタグ１０８に格納されているデータを携帯電話１０３に読み出すことができるようになっている。
なお、ＩＣタグリーダ１０４の詳細な構成については後述する。【００５３】  ＰＣ１０５は、ＩＣタグ１０８の読取機能を有するＣＤ・ＤＶＤドライブ（駆動装置）を備えている。つまり、ＰＣ１０５において商品１０７を再生した場合、自動的にＩＣタグ１０８に格納されているデータを読み出すことができるようになっている。
ＰＣ１０５は、携帯電話１０３と同様にインターネット１０６への接続機能を有しており、コンテンツメーカサイト１００、サーバ１０１などへのアクセス、データの送受信ができる。
なお、本実施の形態では、ネットワーク網としてインターネット１０６を利用しているが、これに限られるものではなく、キャプテンシステム、ＬＡＮ（ローカル・エリア・ネットワーク）、ＷＡＮ（ワイド・エリア・ネットワーク）などのデータの送受信が可能なネットワークを利用することも可能である。【００５４】  次に、ＩＣタグリーダ１０４の詳細な構成について説明する。
図１６は、本実施の形態に係るＩＣタグリーダ１０４の概略構成を示した図である。
図１６に示すように、ＩＣタグリーダ１０４は、コントロール部１１１、タグリーダ部１１２、および電源供給部１１３から構成されている。
コントロール部１１１は、ＣＰＵ（中央演算処理装置）１１４、ＲＯＭ（リード・オンリ・メモリ）１１５、ＲＡＭ（ランダム・アクセス・メモリ）１１６、およびＩ／Ｆ（インターフェース）１１７を備え、これらの装置はバスラインを介して接続されている。【００５５】  ＣＰＵ１１４は、ＲＯＭ１１５に格納されている制御プログラムをＲＡＭ１１６に展開し、各種制御信号に基づいて処理を実行する演算処理装置である。
ＲＯＭ１１５は、ＩＣタグリーダ１０４で実行される各種演算や制御を行うためのプログラム、データおよびパラメータなどを格納した読込専用メモリである。
ＲＡＭ１１６は、ＣＰＵ１１４にワーキングメモリとして使用される書込読出メモリである。ＣＰＵ１１４は、ＲＡＭ１１６にプログラムやデータなどを書き込んだり消去したりすることができる。本実施の形態では、ＲＡＭ１１６には、ＣＰＵ１１４がクラスタを生成したりなど、演算処理に必要なエリアが確保可能となっている。また、ＲＡＭ１１６は、ＩＣタグ１０８に格納されているデータ、例えば、ＵＲＬテキストデータなどを受け取り格納するための格納領域を有している。
Ｉ／Ｆ１１７は、携帯電話１０３との間でデータ通信を行うためのインターフェースである。【００５６】  また、タグリーダ部１１２は、受信部１１９および復号部１１８を備えている。
受信部１１９は、ＩＣタグ１０８から発信された信号の受信を行う。
そして、復号部１１８は、受信部１１９で受信した、即ちＩＣタグ１０８から発信された信号の復号処理を行う。
なお、このタグリーダ部１１２で取得されたＩＣタグ１０８のデータは、例えば、ＲＳ２３２Ｃインターフェースなどのシリアルインターフェースを用いてコントロール部１１１に転送され、ＲＡＭ１１６内に格納される。【００５７】  電源供給部１１３は、電池１２０および切換器１２１を備えている。
電池１２０としては、例えば、ＩＣタグリーダ１０４への組み込みが可能な形状（サイズ）のボタン型電池が用いられる。
切換器１２１は、タグリーダ部１１２への電源供給のオン／オフ切換を行うための回路スイッチである。
ＩＣタグリーダ１０４は、携帯電話１０３へ接続されたタイミングで、電池１２０からコントロール部１１１およびタグリーダ部１１２への電力供給が開始されるようになっている。【００５８】  そして、タグリーダ部１１２におけるＩＣタグ１０８のデータ読取処理が済み次第速やかに、切換器１２１によってタグリーダ部１１２への電力供給が遮断されるようになっている。例えば、ＩＣタグ１０８のデータ読取処理の実行後、２〜３秒後に自動的に切換器１２１によって、電源供給回路が遮断されるようになっている。
このように、タグリーダ部１１２へは、ＩＣタグ１０８のデータ読取処理時にのみ電源供給を行うことにより、電池１２０の消費を低減することができるため、また、タグリーダ部１１２への負荷が軽減されるためＩＣタグリーダ１０４の耐用期間を飛躍的に延ばすことができる。【００５９】  次に、このように構成されたコンテンツ試聴・登録システムの動作について説明する。
図１７は、本発明の実施の形態に係るコンテンツ試聴・登録システムにおけるコンテンツの試聴サービスの提供処理の手順を示したフローチャートである。
はじめに、コンテンツの試聴サービスを利用するユーザがＩＣタグリーダ１０４を携帯電話１０３に装着すると、電源供給部１１３からの給電が開始され、コントロール部１１１は、タグリーダ部１１２から転送されるデータの受信を待機する状態となる。
そして、携帯端末装置１０２によるＩＣタグ１０８のデータの読取を実行する（ステップ２１）。【００６０】  なお、ＩＣタグ１０８におけるデータの送信処理は、第２実施例（図９）で説明したステップ１１〜１４と同様の処理が実行されることによりなされる。
ＩＣタグ１０８から信号が送信されると、ＩＣタグリーダ１０４は、タグリーダ部１１２における受信部１１９でこの信号を受信する。
受信部１１９で受信された信号は、復号部１１８に転送され、復号部１１８においてテキストデータに変換（復号）される。
そして、復号部１１８で変換されたデータは、コントロール部１１１へ転送されＲＡＭ１１６内に格納される。【００６１】  次に、ＩＣタグリーダ１０４は、ＲＡＭ１１６に格納されたデータを携帯電話１０３へ転送し、携帯電話１０３は、転送されたデータ（ＵＲＬデータ）に基づいて該当するコンテンツメーカサイト１００へのアクセス（接続）する（ステップ２２）。
コンテンツメーカサイト１００は、携帯端末装置１０２からのアクセス要求内容に基づいてサーバ１０１内を検索して要求内容と合致するデータを読み出し、この読み出したデータを携帯端末装置１０２へダウンロードする（ステップ２３）。
携帯端末装置１０２、即ち、携帯電話１０３は、コンテンツメーカサイト１００からダウンロードしたデータを受信し、装置内の記憶領域に格納する。
そして、携帯電話１０３の有する音声再生機能を用いてダウンロード済みデータの再生処理を実行し（ステップ２４）、処理を終了する。
このようにして、利用者は、ＩＣタグリーダ１０４を用いてＩＣタグ１０８のデータを読み取ることにより、容易に携帯電話１０３からコンテンツメーカサイト１００にアクセスがすることができるため、商品１０７の試聴をする際の煩わしいキー入力操作などの手間を省くことができる。【００６２】  本実施の形態に係るコンテンツ試聴・登録システムでは、上述したようなコンテンツの試聴サービスの他、商品１０７に格納されているコンテンツの正規登録サービスを提供する（受ける）ことができる。
ここで、本実施の形態に係るコンテンツ試聴・登録システムにおける商品１０７に格納されているコンテンツの正規登録処理について説明する。
なお、ここでは、ＩＣタグ１０８が図１５に示されるように、直接商品１０７に組み込まれている光ディスクに格納されているコンテンツの正規登録を行う場合について説明する。
はじめに、利用者は、商品１０７をＰＣ１０５に備えられているＩＣタグ１０８の読取機能を有するＣＤ・ＤＶＤドライブ（駆動装置）に挿入する。
すると、ＰＣ１０５は、ＣＤ・ＤＶＤドライブが駆動すると、ＩＣタグ１０８の読取機能が作動し、ＩＣタグ１０８のデータ読取を自動的に開始する。【００６３】  次に、ＰＣ１０５は、ＣＤ・ＤＶＤドライブで読み取ったＩＣタグ１０８データに基づいて、インターネット１０６を介してコンテンツメーカサイト１００へ自動アクセスする。そして、コンテンツメーカサイト１００は、送信されたアクセス要求（正規登録要求）を受けると、受信したデータに基づいて商品１０７に格納されているコンテンツの正規利用に関する処理を実行する。
なお、コンテンツメーカサイト１００は、正規登録された商品１０７に対して、様々な特典を与えるようになっている。このように、正規登録することができる商品１０７にのみ特典を付与するシステムを構築することにより、海外製の非正規商品（海賊版）の製造・販売が絶えない状況において、日本のコンテンツの正規利用のユーザを世界市場に普及させることができる。【００６４】  また、ＩＣタグ１０８に予め正規品判別用に固有のシリアルデータを記録しておき、携帯端末装置１０２を用いてＩＣタグ１０８のデータの読み取りを行った場合に、携帯電話１０３の画面に“正規品である”旨を示す表示をするようにしてもよい。
このように、ＩＣタグ１０８を読み取った時点で正規品であるか否かを視覚的に認識させることにより、個人ユーザや輸入業者が容易に非正規商品（海賊版）を識別することができるため、非正規商品（海賊版）の販売防止を図ることが容易になる。【００６５】  次に、上述したコンテンツ試聴・登録システムの変形例について説明する。
図１８は、本実施の形態に係るコンテンツ試聴・登録システムの変形例の構成を示した図である。
図１８に示すように、この変形例では、図１４に示すコンテンツ試聴・登録システムに対して、さらにゲートウェイサーバ１２２およびポイント管理用ＤＢ（データベース）１２３を追加したものである。
ゲートウェイサーバ１２２は、携帯電話１０３の電話番号データおよびＩＣタグリーダ１０４に格納されている固有のＩＤ（識別子）データに基づいて、所定サイトへのアクセスを制御する認証用サーバである。
ポイント管理用ＤＢ１２３は、ゲートウェイサーバ１２２で認証された利用者のみが利用（アクセス）可能なデータベースである。そして、ゲートウェイサーバ１２２で認証完了時に、ポイント管理用ＤＢ１２３が提供する各種サービス（ポイント獲得サービス等）を利用することができるようになっている。【００６６】  例えば、ゲートウェイサーバ１２２で認証された利用者がコンテンツメーカサイト１００へアクセスして試聴サービスの提供を受けた場合や、試聴サービスの提供を受けた後にその商品を購入した場合などに、ポイントが加算されるようになっている。
詳しくは、当該携帯端末装置１０２毎に予め付与されている利用者識別用のＩＤ別に、ポイント管理用ＤＢ１２３に格納されているポイントデータの更新が行われる。
このようにゲートウェイサーバ１２２を介して所定サイトのアクセスを管理することにより、商品１０７購入やサイト閲覧などによるポイントデータをＩＣタグリーダ１０４に格納されている固有ＩＤに基づいて一元管理できるようになっている。
このようにＩＣタグリーダ１０４で各種ポイントを一元管理することにより、利用者は複数のポイントカード（識別ＩＤ）を管理することなく容易にポイントサービスを利用することができる。【００６７】  次に、このように構成されたコンテンツ試聴・登録システム（変形例）の動作について説明する。
図１９は、本実施の形態に係るコンテンツ試聴・登録システムの変形例におけるコンテンツの試聴サービスの提供処理の手順を示したフローチャートである。
はじめに、コンテンツの試聴サービスを利用するユーザがＩＣタグリーダ１０４を携帯電話１０３に装着すると、電源供給部１１３からの給電が開始され、コントロール部１１１は、タグリーダ部１１２から転送されるデータの受信を待機する状態となる。
そして、携帯端末装置１０２によるＩＣタグ１０８のデータの読取を実行する（ステップ３１）。【００６８】  なお、ＩＣタグ１０８におけるデータの送信処理は、第２実施例（図９）で説明したステップ１１〜１４と同様の処理が実行されることによりなされる。
ＩＣタグ１０８から信号が送信されると、ＩＣタグリーダ１０４は、タグリーダ部１１２における受信部１１９でこの信号を受信する。
受信部１１９で受信された信号は、復号部１１８に転送され、復号部１１８においてテキストデータに変換（復号）される。
そして、復号部１１８で変換されたデータは、コントロール部１１１へ転送されＲＡＭ１１６内に格納される。【００６９】  次に、ＩＣタグリーダ１０４は、ＲＡＭ１１６に格納されたデータおよびＲＯＭ１１５内に格納されているＩＣタグリーダ１０４固有の識別ＩＤのデータを携帯電話１０３へ転送する。
携帯電話１０３は、当該携帯電話１０３の電話番号データを読み出し、この電話番号データを転送されたデータ（ＵＲＬデータ）およびＩＣタグリーダ１０４固有の識別ＩＤのデータに貼付して、ゲートウェイサーバ１２２へアクセス（接続）する（ステップ３２）。なお、電話番号データおよびＩＣタグリーダ１０４固有の識別ＩＤのデータは、送信する際に暗号化されていることが望ましい。
ゲートウェイサーバ１２２は、携帯端末装置１０２から送信された電話番号データおよびＩＣタグリーダ１０４固有の識別ＩＤのデータに基づいて認証処理を行う（ステップ３３）。
ゲートウェイサーバ１２２では、予めデータベースに登録されているデータと電話番号データおよびＩＣタグリーダ１０４固有の識別ＩＤのデータを照合することによって認証処理を行う。【００７０】  ゲートウェイサーバ１２２において、登録済みの利用者であることが認証された後、ゲートウェイサーバ１２２は、試聴サイトを示したＵＲＬデータを携帯端末装置１０２（携帯電話１０３）へ送信（返信）する。
携帯電話１０３は、ゲートウェイサーバ１２２から送信されたデータ（ＵＲＬデータ）に基づいて該当するコンテンツメーカサイト１００へのアクセス（接続）する（ステップ３４）。
コンテンツメーカサイト１００は、携帯端末装置１０２からのアクセス要求内容に基づいてサーバ１０１内を検索して要求内容と合致するデータを読み出し、この読み出したデータを携帯端末装置１０２へダウンロードする（ステップ３５）。
携帯端末装置１０２、即ち、携帯電話１０３は、コンテンツメーカサイト１００からダウンロードしたデータを受信し、装置内の記憶領域に格納する。
そして、携帯電話１０３の有する音声再生機能を用いてダウンロード済みデータの再生処理を実行し（ステップ３６）、処理を終了する。
【図面の簡単な説明】
【００７１】
【図１】本実施の形態に係る携帯電話を用いて店内でＣＤを試聴するシステムの構成を示した図である（第１実施形態）。
【図２】本実施形態で用いる携帯電話利用者端末の例を示した図である（第１実施形態）。
【図３】本実施形態に係る音楽データ配信端末の構成を示したブロック図である（第１実施形態）。
【図４】コンパクトディスクのパッケージにアドレスを記載したシールを貼付した例を示した図である（第１実施形態）。
【図５】コンパクトディスクのパッケージにアドレスを直接記載した例を示した図である（第１実施形態）。
【図６】本実施の形態に係る商品の情報取得システムの構成を示した図である（第２実施形態）。
【図７】本実施の形態に係るＩＣタグの構成を示した図である（第２実施形態）。
【図８】本実施の形態に係る携帯電話利用者端末の構成を示した図である（第２実施形態）。
【図９】本実施の形態に係る情報取得システムにおける、商品の情報を取得する処理の手順を示したフローチャートである（第２実施形態）。
【図１０】ＩＣタグと携帯電話利用者端末との配置状況を示した図である（第２実施形態）。
【図１１】商品に関する所定のデータを表示させた、ディスプレイの表示画面の一例を示した図である（第２実施形態）。
【図１２】（ａ）は、ＩＣタグを貼付した名刺の表面を示した図であり、（ｂ）は、ＩＣタグを貼付した名刺の裏面を示した図である（変形例）。
【図１３】名刺データを表示させた、ディスプレイの表示画面の一例を示した図である（変形例）。
【図１４】本実施の形態に係るＩＣタグを用いて商品に格納されたコンテンツの試聴および商品の正規登録を実施するシステムの構成を示した図である（第３実施形態）。
【図１５】ＩＣタグの商品への組み込み例を示した図である（第３実施形態）。
【図１６】本実施の形態に係るＩＣタグリーダの概略構成を示した図である（第３実施形態）。
【図１７】本発明の実施の形態に係るコンテンツ試聴・登録システムにおけるコンテンツの試聴サービスの提供処理の手順を示したフローチャートである（第３実施形態）。
【図１８】本実施の形態に係るコンテンツ試聴・登録システムの第３実施形態の変形例の構成を示した図である。
【図１９】本実施の形態に係るコンテンツ試聴・登録システムの第３実施形態の変形例におけるコンテンツの試聴サービスの提供処理の手順を示したフローチャートである。
【符号の説明】
【００７２】１０  携帯電話利用者端末
１２  携帯電話回線網
１３  携帯電話事業者設備
１４  インターネット
１５  音楽データ配信端末
２０  ＣＤショップ
５１  音楽データベース
５３  インターネット通信部
５５  制御部
６０  コンパクトディスクのパッケージ
６２  シール
７２  ＩＣタグ
７２１  アンテナ
７２２  ＩＣチップ
７２３  整流回路
７２４  蓄電回路
７２５  発振回路
７２６  メモリ
１００  コンテンツメーカサイト
１０１  サーバ
１０２  携帯端末装置
１０３  携帯電話
１０４  ＩＣタグリーダ
１０５  ＰＣ
１０６  インターネット
１０７  商品
１０８  ＩＣタグ
１０９  樹脂領域
１１０  記録層（反射膜領域）
１１１  コントロール部
１１２  タグリーダ部
１１３  電源供給部
１１４  ＣＰＵ（中央演算処理装置）
１１５  ＲＯＭ（リード・オンリ・メモリ）
１１６  ＲＡＭ（ランダム・アクセス・メモリ）
１１７  Ｉ／Ｆ（インターフェース）
１１８  復号部
１１９  受信部
１２０  電池
１２１  切換器
１２２  ゲートウェイサーバ
１２３  ポイント管理用ＤＢ（データベース）
【図１】
2005015541.tif 000002
【図２】
2005015541.tif 000003
【図３】
2005015541.tif 000004
【図４】
2005015541.tif 000005
【図５】
2005015541.tif 000006
【図６】
2005015541.tif 000007
【図７】
2005015541.tif 000008
【図８】
2005015541.tif 000009
【図９】
2005015541.tif 000010
【図１０】
2005015541.tif 000011
【図１１】
2005015541.tif 000012
【図１２】
2005015541.tif 000013
【図１３】
2005015541.tif 000014
【図１４】
2005015541.tif 000015
【図１５】
2005015541.tif 000016
【図１６】
2005015541.tif 000017
【図１７】
2005015541.tif 000018
【図１８】
2005015541.tif 000019
【図１９】
2005015541.tif 000020
【手続補正書】
【提出日】平成16年12月7日(2004.12.7)
【手続補正００１】
【補正対象書類名】特許請求の範囲
【補正対象項目名】請求の範囲
【補正方法】変更
【補正の内容】
【書類名】請求の範囲
【請求項１】（補正後）所定の商品情報を商品毎にＵＲＬを割り振って格納したサーバ装置と、
商品に貼付あるいは組み込まれ、当該商品に対応する前記ＵＲＬのデータが格納されているＩＣタグと、
インターネットへのアクセス機能を搭載し、かつ、基地局との交信を行うための交信電磁波を発信する携帯電話と、から構成され、
前記ＩＣタグは、前記交信電磁波を動作電力として所定の信号を発信し、
前記携帯電話は、
前記ＩＣタグが発信する所定の信号を受信することによって、前記ＩＣタグに格納されている前記ＵＲＬのデータを取得するＵＲＬ取得手段と、
前記ＵＲＬ取得手段により取得された前記ＵＲＬへ前記インターネットを介してアクセスするアクセス手段と、
前記アクセス手段によりアクセスされた前記ＵＲＬに格納されている前記所定の商品情報を取得する商品情報取得手段と、
を備えたことを特徴とする商品情報取得システム。
【請求項２】（補正後）前記商品は、コンテンツデータが記録された記憶領域と、データの記録に用いられていない非記録領域からなるメディアであり、
前記ＩＣタグは、前記商品の非記録領域に組み込まれていることを特徴とする請求項１記載の商品情報取得システム。
【請求項３】（補正後）所定の商品情報を商品毎にＵＲＬを割り振って格納したサーバ装置と、商品に貼付あるいは組み込まれ、当該商品に対応する前記ＵＲＬのデータが格納されているＩＣタグと、インターネットへのアクセス機能を搭載し、かつ、基地局との交信を行うための交信電磁波を発信する携帯電話と、を備えた商品情報取得システム内での情報の遣り取りに使用する商品情報取得方法であって、
前記ＩＣタグから前記交信電磁波を動作電力として発信される所定の信号を受信することによって、前記ＩＣタグに格納されている前記ＵＲＬのデータを取得する第１ステップと、
前記第１ステップにより取得された前記ＵＲＬへ前記インターネットを介してアクセスする第２ステップと、
前記第２ステップによりアクセスされた前記ＵＲＬに格納されている前記所定の商品情報を取得する第３ステップと、
を有することを特徴とする商品情報取得方法。
【請求項４】（補正後）商品に貼付あるいは組み込まれ、当該商品の商品情報の格納先を示すＵＲＬのデータが格納されているＩＣタグから、インターネットへのアクセス機能を搭載し、かつ、基地局との交信を行うための交信電磁波を発信する携帯電話へ、前記ＵＲＬのデータを発信する際に使用するデータ送信方法であって、
前記交信電磁波を受信する第１ステップと、
前記第１ステップにより受信された前記交信電磁波を動作電力として発信回路を起動させる第２ステップと、
前記第２ステップにより起動された前記発振回路を介して前記ＵＲＬのデータを発信する第３ステップと、
を有することを特徴とするデータ送信方法。
【請求項５】（削除）
【請求項６】（削除）
【請求項７】（削除）
【請求項８】（補正後）所定の商品情報を商品毎にＵＲＬを割り振って格納したサーバ装置と、
商品に組み込まれ、当該商品に対応する前記ＵＲＬのデータが格納されているＩＣタグと、
インターネットへのアクセス機能を搭載した携帯電話と、
前記携帯電話に装着可能であり、前記ＩＣタグに格納されている前記ＵＲＬのデータを読み取るＩＣタグリーダと、から構成され、
前記商品は、コンテンツデータが記録された記憶領域と、データの記録に用いられていない非記録領域からなるメディアであり、
前記ＩＣタグは、前記商品の非記録領域に組み込まれ、
前記携帯電話は、
前記ＩＣタグリーダにより読み取られた前記ＵＲＬへ前記インターネットを介してアクセスするアクセス手段と、
前記アクセス手段によりアクセスされた前記ＵＲＬに格納されている所定の商品情報を取得する商品情報取得手段と、
を備えたことを特徴とする商品情報取得システム。
３４
【国際調査報告】
2005015541.tif 000021
2005015541.tif 000022
2005015541.tif 000023
2005015541.tif 000024